【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
流体の流れの中を流れと同方向あるいは斜め方向に超音波の送受をする一対の超音波送受波器（２）（３）と、
受信側の送受波器（３又は２）が接続され、受信波を検知すると受信波検知信号を出力する受信波検知部（４）と、
測定オン・オフ信号がオフ側からオン側になる毎に送信側の送受波器（２又は３）を駆動し、その後は受信波検知信号毎に送信側の送受波器（２又は３）を駆動し、第ｎ受信波検知信号が入力されるか測定オン・オフ信号がオフ側になると駆動を停止する送波器駆動部（６）と、
受信波検知部（４）よりの受信波検知信号が入力されていて、測定オン・オフ信号がオン側になる毎に零から計数を開始し、ｎ番目の受信波検知信号を検知して第ｎ受信波検知信号を出力する第１のカウンタ（８）と、
測定オン・オフ信号がオン側になってから、第ｎ受信波検知信号までの時間を測定する第２のカウンタ（９）と、
一定のタイミングで順方向計測と逆方向計測の切替えを行い、その都度測定オン・オフ信号をオフ側からオン側にし、第ｎ波検知信号を受けると第２のカウンタ（９）の測定値を読み取って流速・流量等の演算を行うコントロール部（７）と、
測定オン・オフ信号がオン側となると、その時から第１の受信波検知信号までの時間を、その後は受信波検知信号から次の受信波検知信号までの時間をその都度測定して出力する第３のカウンタ（１１）とを具備し、
前記コントロール部（７）は、受信波検知信号が入力される毎に第３のカウンタ（１１）の測定値を読み取り、連続して読み取った二つの隣接する測定値の差が決められた値より大きいことがあれば、測定オン・オフ信号のオンから始まったその回の測定は不成功として第２のカウンタ（９）の測定値を放棄するようにしたことを特徴とする超音波流量計。
【請求項２】
コントロール部（７）は測定が不成功と判断すると、測定オン・オフ信号を一旦オフ側にして測定を中止し、超音波の向きはそのままで測定オン・オフ信号をオン側にして測定を再開することを特徴とする請求項１記載の超音波流量計。
【請求項３】
流体の流れの中を流れと同方向あるいは斜め方向に超音波の送受をする一対の超音波送受波器（２）（３）と、
受信側の送受波器（３又は２）が接続され、受信波を検知すると受信波検知信号を出力する受信波検知部（４）と、
測定オン・オフ信号がオフ側からオン側になる毎に送信側の送受波器（２又は３）を駆動し、その後は受信波検知信号毎に送信側の送受波器（２又は３）を駆動し、第ｎ受信波検知信号が入力されるか測定オン・オフ信号がオフ側になると駆動を停止する送波器駆動部（６）と、
受信波検知部（４）よりの受信波検知信号が入力されていて、測定オン・オフ信号がオン側になる毎に零から計数を開始し、ｎ番目の受信波検知信号を検知して第ｎ受信波検知信号を出力する第１のカウンタ（８）と、
測定オン・オフ信号がオン側になってから、第ｎ受信波検知信号までの時間を測定する第２のカウンタ（９）と、
第ｎ波検知信号を受けると第２のカウンタ（９）の測定値を読み取って流速・流量等の演算を行うコントロール部（７）と、
測定オン・オフ信号がオン側となると、その時から第１の受信波検知信号までの時間を、その後は受信波検知信号から次の受信波検知信号までの時間をその都度測定して出力する第３のカウンタ（１１）とを具備し、
一定のタイミングで順方向計測と逆方向計測の切替えを行い、その都度測定オン・オフ信号をオフ側からオン側にし、受信波検知毎に第３のカウンタ（１１）の測定値を読み取り、連続して読み取った二つの隣接する測定値の差が決められた値より大きいことがあれば、測定オン・オフ信号のオンから始まったその回の測定は不成功として第２のカウンタ（９）の測定値を放棄するようにしたことを特徴とする超音波流量計。
【請求項４】
測定が不成功と判断すると、測定オン・オフ信号を一旦オフ側にして測定を中止し、超音波の向きはそのままで測定オン・オフ信号をオン側にして測定を再開することを特徴とする請求項３記載の超音波流量計。
【請求項５】
測定不成功の割合が一定値を越えるとアラーム表示をすることを特徴とする請求項１，２，３又は４記載の超音波流量計。
【請求項６】
コントロール部（７）は、最初にしきい値（ＶTH）に達した波のゼロクロスポイントを検知する受信波検知部（４）のしきい値（ＶTH）を制御或いは選択できるように構成し、測定の不成功の割合が一定値を越えると受信波検知部（４）のしきい値（ＶTH）を変化させるようにしたことを特徴とする請求項１，２，３，４又は５記載の超音波流量計。
【請求項７】
受信波検知部（４）のしきい値（ＶTH）を変化させるに当り、しきい値（ＶTH）を一定量小さくするようにしたことを特徴とする請求項６記載の超音波流量計。
【請求項８】
測定が不成功と判断した場合、コントロール部（７）は前回の同方向の時間測定値（Ｔ）を使用して流速、流量又は積算流量を演算することを特徴とする請求項１，２，３，４又は５記載の超音波流量計。
【手続補正２】
【補正対象書類名】明細書
【補正対象項目名】００２６
【補正方法】変更
【補正の内容】
【００２６】
請求項３の発明は、流体の流れの中を流れと同方向あるいは斜め方向に超音波の送受をする一対の超音波送受波器（２）（３）と、
受信側の送受波器（３又は２）が接続され、受信波を検知すると受信波検知信号を出力する受信波検知部（４）と、
測定オン・オフ信号がオフ側からオン側になる毎に送信側の送受波器（２又は３）を駆動し、その後は受信波検知信号毎に送信側の送受波器（２又は３）を駆動し、第ｎ受信波検知信号が入力されるか測定オン・オフ信号がオフ側になると駆動を停止する送波器駆動部（６）と、
受信波検知部（４）よりの受信波検知信号が入力されていて、測定オン・オフ信号がオン側になる毎に零から計数を開始し、ｎ番目の受信波検知信号を検知して第ｎ受信波検知信号を出力する第１のカウンタ（８）と、
測定オン・オフ信号がオン側になってから、第ｎ受信波検知信号までの時間を測定する第２のカウンタ（９）と、
第ｎ波検知信号を受けると第２のカウンタ（９）の測定値を読み取って流速・流量等の演算を行うコントロール部（７）と、
測定オン・オフ信号がオン側となると、その時から第１の受信波検知信号までの時間を、その後は受信波検知信号から次の受信波検知信号までの時間をその都度測定して出力する第３のカウンタ（１１）とを具備し、
一定のタイミングで順方向計測と逆方向計測の切替えを行い、その都度測定オン・オフ信号をオフ側からオン側にし、受信波検知毎に第３のカウンタ（１１）の測定値を読み取り、連続して読み取った二つの隣接する測定値の差が決められた値より大きいことがあれば、測定オン・オフ信号のオンから始まったその回の測定は不成功として第２のカウンタ（９）の測定値を放棄するようにしたことを特徴とする超音波流量計である。
請求項４記載の発明は、請求項３の超音波流量計において、測定が不成功と判断すると、測定オン・オフ信号を一旦オフ側にして測定を中止し、超音波の向きはそのままで測定オン・オフ信号をオン側にして測定を再開することを特徴とするものである。
請求項５の発明は、請求項１，２，３又は４の超音波流量計において、
測定不成功の割合が一定値を越えるとアラーム表示をすることを特徴とするものである。


【手続補正３】
【補正対象書類名】明細書
【補正対象項目名】００２７
【補正方法】変更
【補正の内容】
【００２７】
請求項６の発明は、請求項１，２，３，４又は５の超音波流量計において、
コントロール部（７）は、最初にしきい値（ＶTH）に達した波のゼロクロスポイントを検知する受信波検知部（４）のしきい値（ＶTH）を制御或いは選択できるように構成し、測定の不成功の割合が一定値を越えると受信波検知部（４）のしきい値（ＶTH）を変化させるようにしたことを特徴とするものである。


【手続補正４】
【補正対象書類名】明細書
【補正対象項目名】００２８
【補正方法】変更
【補正の内容】
【００２８】
請求項７の発明は、請求項６の超音波流量計において、
受信波検知部（４）のしきい値（ＶTH）を変化させるに当り、しきい値（ＶTH）を一定量小さくするようにしたことを特徴とするものである。


【手続補正５】
【補正対象書類名】明細書
【補正対象項目名】００２９
【補正方法】変更
【補正の内容】
【００２９】
そして、請求項８の発明は、請求項１，２，３，４又は５の超音波流量計において、
測定が不成功と判断した場合、コントロール部（７）は前回の同方向の時間測定値（Ｔ）を使用して流速、流量又は積算流量を演算することを特徴とするものである。


【手続補正６】
【補正対象書類名】明細書
【補正対象項目名】００３４
【補正方法】変更
【補正の内容】
【００３４】
９は順方向測定時と逆方向測定時のそれぞれのときに、測定オン・オフ信号がオン側になってから第ｎ受信波検知信号までの時間Τを測定する（図２参照）。
７はコントロール部で、信号切替器５と切替スイッチ１０を同期して切り替えることで一定のタイミングで順方向計測と逆方向計測の切り替えを行う送受切替信号を出力すると共に、その都度オン・オフ信号をオフ側からオン側にすることで順方向計測と逆方向計測の第１回の超音波の送信を指令する。そして、第１のカウンタ８からの第ｎ受信波検知信号を受けると第２のカウンタ９の測定値Τを読み取って流速・流量及び積算流量の演算を行う。


【手続補正７】
【補正対象書類名】明細書
【補正対象項目名】００４３
【補正方法】変更
【補正の内容】
【００４３】
上述のように正しい時間Ｔ（≒ｎｔ）が得られなかった場合、コントロール部７が前回の同方向の測定値を使用して流速・流量等を算出するか、或いは流速の計算は行わず、前回の計算した流速と同じ流速が継続していると見做して流量積算等を行うことで、積算流量への悪影響を小さくすることができる（請求項８）。


【手続補正８】
【補正対象書類名】明細書
【補正対象項目名】００４８
【補正方法】変更
【補正の内容】
【００４８】
そこでエラー発生の割合が一定値を越えるとアラーム表示をして流量計の保守や交換等の時期を知らせることができる（請求項５）。
請求項６の発明のように、エラーの割合が一定値を越えると、しきい値ＶTHを変えることによって、エラーの発生を少なくするもので、しきい値を複数用意しておき、測定不具合（エラー）が起きる割合の小さいものを選択して使うようにすることもできる。


【手続補正９】
【補正対象書類名】明細書
【補正対象項目名】００４９
【補正方法】変更
【補正の内容】
【００４９】
しきい値をどれだけ変えるかは、受信信号に乗るノイズの大きさ、初期の受信信号の大きさ、測定不具合（エラー）の起こる割合等から決めることができるが、送受波器の経年劣化（エージング）によるエラーの場合には、請求項７のように、しきい値を一定量小さくするのが効果的である。